(57)【要約】【課題】濃度分極に起因する時間依存の抵抗値をも考慮してバッテリ状態を正確かつ簡易に評価することが可能な、バッテリ状態管理装置を得る。【解決手段】処理部１５は、拡散抵抗Ｒdと現時点での内部抵抗Ｒ0との各抵抗値を加算することにより、トータルの内部抵抗Ｒ（＝Ｒd＋Ｒ0）を算出する。今回エンジンを始動する際の始動性評価において、処理部１５は、内部抵抗Ｒに放電電流値Ｉを乗算することにより電圧降下ΔＶO2を算出し、開放電圧値ＶOから電圧降下ΔＶO2を減算することにより電圧値Ｖ2を得る。この電圧値Ｖ2は、濃度分極に起因する拡散抵抗Ｒdを加味したものであり、放電開始から１秒後の端子電圧（つまり、クランキング完了後の端子電圧）に相当する。従って、クランキング開始時（時間Ｔ1）から完了時（時間Ｔ2）までの全時間に亘って基準電圧値を確保できるか否かを評価することが可能となる。【選択図】図１２
2007179968.tif 000002
【特許請求の範囲】
【請求項１】
車両に搭載され、バッテリの状態を管理するバッテリ状態管理装置であって、
電流密度と、バッテリ液の濃度分極に起因する拡散律則の第１の抵抗値との関係を表す情報を記憶した記憶手段と、
前記バッテリのＳＯＣ、ＳＯＨ、及び定格容量を用いて電流密度を算出し、算出した前記電流密度に対応する前記第１の抵抗値を、前記情報に基づいて導出する処理手段と
を備える、バッテリ状態管理装置。
【請求項２】
前記処理手段は、導出された前記第１の抵抗値と、電荷移動律則の第２の抵抗値とを用いて、負荷を駆動する際の前記バッテリの端子電圧の電圧降下量を求める、請求項１に記載のバッテリ状態管理装置。
【請求項３】
前記処理手段は、導出された前記第１の抵抗値から求めた濃度分極電圧と、電荷移動律則の第２の抵抗値から求めたオーミック抵抗分極電圧とに基づいて、前記バッテリの端子電圧の分極を求める、請求項１に記載のバッテリ状態管理装置。
【発明の詳細な説明】
【技術分野】
【０００１】
本発明は、車両に搭載されるバッテリ（本明細書では、鉛バッテリのことを指す）の状態を管理するバッテリ状態管理装置に関する。
【背景技術】
【０００２】
バッテリによって大電流負荷を駆動可能か否かを評価する際、従来のバッテリ状態管理装置では、バッテリの内部抵抗Ｒ0と、負荷の駆動電流Ｉとを用いて、開放電圧値からの電圧降下量ΔＶ＝Ｉ×Ｒ0を求め、電圧降下後の端子電圧が所定の基準端子電圧以上か否かによって、バッテリ状態が評価されていた。ここで、内部抵抗Ｒ0は、電極材料や、バッテリの劣化状態及び充電残量に起因する内部抵抗値であり、電荷移動律則のオーミックな抵抗値である。
【０００３】
なお、バッテリ状態（例えば、劣化度合い又は充電残量等）の検出を、エンジン始動時等の放電時におけるバッテリの電圧降下特性に基づいて行う技術が、例えば下記特許文献１に開示されている。
【０００４】
【特許文献１】特開２００４−１９０６０４号公報
【発明の開示】
【発明が解決しようとする課題】
【０００５】
バッテリを充放電すると、電極表面でバッテリ液である希硫酸の濃度勾配（濃度分極）が生じ、バッテリの端子電圧が時間の経過に伴って増減する。具体的に、バッテリを放電した場合には、硫酸鉛の析出に起因して電極表面で硫酸濃度が低下し、端子電圧が一時的に低下する。一方、バッテリを充電した場合には、硫酸鉛の溶解に起因して電極表面で硫酸濃度が上昇し、端子電圧が一時的に上昇する。
【０００６】
ところが、上記した従来のバッテリ状態管理装置によると、瞬間的な電圧降下量ΔＶ＝Ｉ×Ｒ0に基づいてバッテリ状態が評価されており、濃度分極に起因するその後の電圧降下が考慮されていない。そのため、負荷の駆動が完了するまでの全時間に亘って所定の基準端子電圧を確保できるか否かが不明である。
【０００７】
また、上記した従来のバッテリ状態管理装置によると、開放電圧値からの電圧降下量に基づいてバッテリ状態が評価されている。しかし、バッテリの分極状態によって端子電圧は開放電圧に対して増減し、例えば放電後の分極状態では、端子電圧は開放電圧よりも低下している。従って、バッテリ状態を正確に評価するためには、開放電圧値からの電圧降下量ではなく、開放電圧よりも低い端子電圧からの電圧降下量を求める必要がある。そのためには、バッテリ状態の評価の際に、その時点での濃度分極に起因する端子電圧の増減量を求める必要がある。
【０００８】
本発明は、かかる事情に鑑みて成されたものであり、濃度分極に起因する時間依存の抵抗値をも考慮してバッテリ状態を正確かつ簡易に評価することが可能な、バッテリ状態管理装置を得ることを目的とする。
【課題を解決するための手段】
【０００９】
第１の発明に係るバッテリ状態管理装置は、車両に搭載され、バッテリの状態を管理するバッテリ状態管理装置であって、電流密度と、バッテリ液の濃度分極に起因する拡散律則の第１の抵抗値との関係を表す情報を記憶した記憶手段と、前記バッテリのＳＯＣ、ＳＯＨ、及び定格容量を用いて電流密度を算出し、算出した前記電流密度に対応する前記第１の抵抗値を、前記情報に基づいて導出する処理手段とを備えることを特徴とする。
【００１０】
第２の発明に係るバッテリ状態管理装置は、第１の発明に係るバッテリ状態管理装置において特に、前記処理手段は、導出された前記第１の抵抗値と、電荷移動律則の第２の抵抗値とを用いて、負荷を駆動する際の前記バッテリの端子電圧の電圧降下量を求める機能をさらに有することを特徴とする。
【００１１】
第３の発明に係るバッテリ状態管理装置は、第１の発明に係るバッテリ状態管理装置において特に、前記処理手段は、導出された前記第１の抵抗値から求めた濃度分極電圧と、電荷移動律則の第２の抵抗値から求めたオーミック抵抗分極電圧とに基づいて、前記バッテリの端子電圧の分極を求める機能をさらに有することを特徴とする。
【発明の効果】
【００１２】
第１の発明に係るバッテリ状態管理装置によれば、記憶手段には、電流密度と、バッテリ液の濃度分極に起因する拡散律則の第１の抵抗値との関係を表す情報が記憶されている。また、処理手段は、バッテリのＳＯＣ、ＳＯＨ、及び定格容量を用いて電流密度を算出し、算出した電流密度に対応する第１の抵抗値を、記憶手段に記憶されている情報に基づいて導出する。従って、濃度分極に起因する時間依存の抵抗値をも考慮して、バッテリ状態を正確かつ簡易に評価することができる。
【００１３】
第２の発明に係るバッテリ状態管理装置によれば、瞬間的な電圧降下量に基づいてバッテリ状態を評価するのではなく、濃度分極に起因するその後の電圧降下を考慮してバッテリ状態を評価することができる。従って、負荷の駆動が完了するまでの全時間に亘って所定の基準端子電圧を確保できるか否かの評価が可能となる。
【００１４】
第３の発明に係るバッテリ状態管理装置によれば、バッテリ状態の評価の際に、その時点での濃度分極に起因する、開放電圧からの端子電圧の増減量を求めることができる。従って、開放電圧値からの電圧降下量ではなく、開放電圧から増減している端子電圧からの電圧降下量を求めることができるため、バッテリ状態を正確に評価することが可能となる。
【発明を実施するための最良の形態】
【００１５】
以下、本発明の実施形態について、図面を用いて詳細に説明する。なお、異なる図面において同一の符号を付した要素は、同一又は相応する要素を示すものとする。
【００１６】
＜原理説明＞
まず、本実施形態に係るバッテリ状態管理装置における、バッテリ状態の評価原理について説明する。
【００１７】
図１は、劣化状況及び充電残量の異なるバッテリについて開放電圧（バッテリが実質的に放電を行っていないときの出力電圧）とエンジン始動時の下限電圧（エンジン始動時の放電によりバッテリの出力電圧が低下したときのその最低電圧であり、本発明に係る放電時電圧に相当する）とを試験により計測した計測結果を示すグラフである。その横軸は各放電試験におけるエンジン始動時放電開始前のバッテリの開放電圧値に対応し、縦軸は各放電試験におけるエンジン始動時放電中のバッテリの下限電圧値に対応している。また、図１中の曲線Ｇ１は新品（実質的に新品であればよい（以下同様））のバッテリについての計測結果に基づいて描いたものであり、曲線Ｇ２〜Ｇ４は使用されてある程度劣化したバッテリについての計測結果に基づいて描いたものであり、曲線Ｇ２，Ｇ３，Ｇ４の順にバッテリの使用期間が長くなり劣化が進んでいる。なお、充電終了時（エンジン停止時）から一定時間経過時の開放電圧値を用いることにより、バッテリ１の放電特性取得や状態評価等の精度がより向上する。
【００１８】
図１のグラフより、バッテリの劣化が進むにつれて対応する曲線Ｇ１〜Ｇ４がグラフの概ね右方向（又は右下方向）にシフトしていることが分かる。特に、下限電圧値が所定の基準レベル（例えば、９Ｖ）以下の領域では、曲線Ｇ１を基準とした曲線Ｇ２〜Ｇ４の右方向へのシフト量が対応するバッテリの劣化の進みに応じて増加する傾向にあることが分かる。これより、曲線Ｇ１に対応した新品のバッテリのエンジン始動時放電特性（各充電残量に応じた各放電電圧値に対するエンジン始動時放電中の下限電圧値）を導出しておけば、これを基準としてバッテリの状態評価を行うことができる。
【００１９】
しかし、エンジン始動時にバッテリに接続される負荷の状況は、車種ごとに大きく相違する。このため、従来の手法を適用して、曲線Ｇ１に対応するバッテリのエンジン始動時放電特性を取得しようとすると、例えば、ある一定の基準条件の下で曲線Ｇ１に対応するバッテリのエンジン始動時放電特性を試験により検出し、その放電特性に対し、車種ごとに設定した調節パラメータを用いて微調整を行うこととなる。
【００２０】
そこで、本願発明者は、その従来手法の課題に着目し、車体固有の調節パラメータ等を使用することなく、車体固有のエンジン始動時の負荷状況を反映したバッテリのエンジン始動時放電特性等を自動的に取得できるようにすべく、対策を行った。その原理は以下の通りである。
【００２１】
図２は、バッテリのエンジン始動時の放電特性について説明するためのグラフであり、図２のグラフ中の曲線Ｇ１は図１の曲線Ｇ１に対応している。図３に示すように、エンジン始動時にバッテリ１に接続されるエンジン始動時負荷ＬS（バッテリの内部抵抗以外の負荷であって、スタータ、その他の抵抗要素等を含む）の抵抗値をＲSとし、バッテリ１の内部抵抗値をＲBとし、バッテリ１の開放電圧値をＶOとし、バッテリ１にエンジン始動時負荷ＬSを接続して放電を行わせた際の出力電圧の最低値である下限電圧値をＶLとすると、これらのパラメータＲS，ＲB，ＶO，ＶLの間には、次の関係が成り立つ。
【００２２】
【数１】
2007179968.tif 000003
【００２３】
この式（１）をＶLについて解くと次のようになる。
【００２４】
【数２】
2007179968.tif 000004
【００２５】
この式（２）において、内部抵抗値ＲBが開放電圧値ＶO（すなわち、バッテリ１の充電残量）により変化しないと仮定すると、エンジン始動時負荷ＬSの抵抗値ＲSは開放電圧値ＶOの値に依らず一定であるため、図２のグラフの座標系の原点を通る直線Ｇ５に対応した式（値ＶO，ＶLの比例関係を表す式）が得られる。
【００２６】
実際には、式（２）における内部抵抗値ＲBは開放電圧値ＶO（バッテリ１の充電残量）の減少に伴って増加するため、下限電圧値ＶLの低下割合は、曲線Ｇ１のように開放電圧値ＶOの減少に伴って増大するようになっている。すなわち、図２のグラフの曲線Ｇ１の直線Ｇ５からの縦軸マイナス方向への乖離量が開放電圧値ＶOの減少に伴って徐々に大きくなるのは、開放電圧値ＶOの減少に伴う内部抵抗値ＲBの増加によるものであるということができる。
【００２７】
そこで、本願発明者は、開放電圧値ＶO（バッテリ１の充電残量）の減少に伴うバッテリ１の内部抵抗値ＲBの増加割合は、新品のバッテリ１であればどのバッテリ１についてもほぼ共通した特性であることに着目し、その特性を有効に利用することにより、新品のバッテリ１のエンジン始動時負荷ＬSに対する車両固有の放電特性を容易に検出することが可能であることに思い至った。
【００２８】
すなわち、新品のバッテリ１における開放電圧値ＶOの減少に伴う内部抵抗値ＲBの増加割合に関する情報を予め取得してシステムに記憶させておき、工場での車両組立完成時、出荷時、車両がエンドユーザに引き渡されたとき、又はエンドユーザ引き渡し後一定期間内などのバッテリ１が新品の状態にあるときに、バッテリ１に対するエンジン始動時負荷ＬSを用いた放電特性（基準となる充電残量における新品のバッテリ１の開放電圧値ＶOとエンジン始動時負荷ＬSを接続した際の下限電圧値ＶL）の計測により、図２のグラフ上における車両固有の１つの計測点を取得し、その計測点と予め記憶された内部抵抗値ＲBの増加割合に関する情報とに基づいて、新品のバッテリ１のエンジン始動時負荷ＬSに対する車両固有の放電特性を取得できることが分かった。なお、前記車両固有の計測点については、複数回の計測を行って得られた計測結果について平均化（加重平均を含む）等の数値処理を施したものを利用してもよく、その場合、計測時のバッテリ１の開放電圧（充電残量）の値に応じて開放電圧が最大の計測点について優先的に利用したり、加重平均の寄与度を大きくする等の方法が考えられる。
【００２９】
より具体的には、まず、新品のバッテリ１の充電残量が満充電状態（実質的に満充電状態であればよい（以下同様））であるときの開放電圧値ＶOIF及び内部抵抗値ＲBIFと、充電残量が低下したときの各開放電圧値ＶOIにおける内部抵抗値ＲBIのＲBIFに対する変化率（ＲBI／ＲBIF）とを試験により計測する。そして、新品のバッテリ１の開放電圧値ＶOIの変化に対する内部抵抗値ＲBIの変化率（ＲBI／ＲBIF）を、開放電圧値ＶOIを変数とした関数（例えば、式（３）のような関数）として近似的に求め、その関数に関する情報を予めシステムに記憶させておく。あるいは、その変形例として、各開放電圧値ＶOIの値とそれに対応する内部抵抗値ＲBIの変化率（ＲBI／ＲBIF）の各値とをデータテーブルにして予めシステムに記憶させるようにしてもよい。なお、各開放電圧値ＶOIにおける内部抵抗値ＲBIの変化率（ＲBI／ＲBIF）の具体的な計測方法については後述する。
【００３０】
【数３】
2007179968.tif 000005
【００３１】
次に、工場での車両組立完成時等のバッテリ１が新品状態にあり、かつ、バッテリ１が満充電状態であるときに、開放電圧値（初期基準放電電圧値）ＶOIFと、そのバッテリ１のエンジン始動時負荷ＬSを接続した際のバッテリ１の下限電圧値（初期基準下限電圧値）ＶLIFとを計測する。バッテリ１が満充電状態であるか否かの判定は、例えばバッテリ１の開放電圧値を計測し、その値が満充電状態に対応した所定の基準レベル以上になっているか否かを判定することにより行われる。なお、上述の如く、初期基準放電電圧値ＶOIF及び初期基準下限電圧値ＶLIFの計測を複数回行ってそれらを平均等したものを利用してもよい。
【００３２】
この初期基準放電電圧値ＶOIF及び初期基準下限電圧値ＶLIFについての計測結果と、上式（３）の関数（又はそれと同等なデータテーブル）を用いることにより、車両に搭載された新品のバッテリ１のエンジン始動時負荷ＬSに対する開放電圧値ＶOIの変化に伴う下限電圧値ＶLIの変化を示す関係式は、次式で与えられる。
【００３３】
【数４】
2007179968.tif 000006
【００３４】
ここで、上式（４）中のパラメータＶLKは、図２のグラフの直線Ｇ５上における開放電圧値がＶOIであるときの下限電圧値であり、下記の式（５）により与えられる。
【００３５】
【数５】
2007179968.tif 000007
【００３６】
式（４）の関係式の導出は、例えば次のようにして行われる。すなわち、上式（１）の関係を図２のグラフにおける座標点ＰFについて当てはめることを考えた場合、開放電圧値がＶOIFのとき（満充電時）の内部抵抗値ＲBをＲBIFとすると、次の関係式（６）が得られる。
【００３７】
【数６】
2007179968.tif 000008
【００３８】
また、上式（１）の関係を図２のグラフにおける座標点ＰIについて当てはめることを考えた場合、開放電圧値がＶOIのときの内部抵抗値ＲBが上式（３）よりＲB＝ｆ（ＶOI）・ＲBIFとして得られるため、次の関係式（７）が得られる。
【００３９】
【数７】
2007179968.tif 000009
【００４０】
よって、関係式（６）の右辺を関係式（７）の左辺のパラメータ（ＲS／ＲBIF）に代入したものをパラメータＶLIについて解くと、上記関係式（４）が得られる。
【００４１】
上式（６）の関係式は、別の観点から見ると、図２のグラフの直線Ｇ５を基準として、直線Ｇ５上の点を、上式（３）の関係により与えられるその点における開放電圧値ＶOIに応じたバッテリ１の内部抵抗値の変化率の変化態様に応じたシフト量で縦軸マイナス方向にシフトさせることにより、各充電残量（各開放電圧値ＶOI）における下限電圧値ＶLIを導出している。
【００４２】
このように導出した開放電圧値ＶOIと下限電圧値ＶLIとの関係に関する情報は、車両固有のエンジン始動時負荷ＬSの抵抗値ＲSが反映されているため、この情報を用いることにより、車両固有の負荷環境等を反映したバッテリ１の状態評価を行うことができる。
【００４３】
ここで、図２のグラフ中の値ＶOIE，ＶLIEは、新品のバッテリ１が充電残量ゼロ（実質的に充電残量がゼロであればよい（以下同様））のときの開放電圧値及び下限電圧値にそれぞれ対応している。また、値ＶOIF，ＶOIEの具体例は、例えば１２．８６Ｖ，１１．９Ｖである。
【００４４】
次に、新品のバッテリ１における開放電圧値ＶOの減少に伴う内部抵抗値ＲBの増加割合に関する情報の取得方法について説明する。まず、本実施形態では、バッテリ容量試験に関するＪＩＳ規格に従い、新品のバッテリ１に対する容量試験を行う。ここで、ＪＩＳ規格の容量試験とは、満充電状態のバッテリ１に一定電流値（例えば、０．２Ａ）の放電を行わせ、その放電開始時からバッテリ１の出力電圧が充電残量ゼロに対応した電圧値（例えば、１１．９Ｖ）に到達するまでの所要時間を計測し、その所要時間と放電電流値（例えば、０．２Ａ）との乗算値をバッテリ容量とする試験である。なお、変形例として、ＪＩＳ準拠放電試験の条件（電流値、温度等）以外での放電特性を代わりに用いてもよい。
【００４５】
すなわち、本実施形態では、満充電状態の新品のバッテリ１に、ＪＩＳ規格に準拠した一定電流値（例えば、０．２Ａ）を放電させつつ、そのときのバッテリ１の出力電圧の推移を計測する。図４のグラフ中の曲線Ｇ７は、そのときのバッテリ１の出力電圧の推移を計測した結果を示すものであり、グラフ中の値ＶAFは放電開始前の満充電状態のバッテリ１の出力電圧値（開放電圧値）であり、前述の値ＶOIFに対応している。値ＶAEはバッテリ１の充電残量ゼロに対応する放電終了時の開放電圧値であり、前述の前述の値ＶOIEに対応している。また、値ＶBFは放電開始直後のバッテリ１の出力電圧値であり、値ＶBEはバッテリ１の充電残量ゼロに対応する放電終了時の出力電圧値であり、値ＴEは充電残量ゼロに対応する放電終了時の時間を示している。また、直線Ｇ８は、放電による充電残量の減少に伴って変化するバッテリ１の開放電圧の計測値の推移を直線で近似したものである。また、このグラフ中のハッチングを付した領域が、充電残量の減少に伴うバッテリ１の内部抵抗値ＲBの増加の影響を反映している部分であり、図２及び後述する図５のグラフのハッチングを付した領域に対応している。
【００４６】
続いて、図４のグラフにおける曲線Ｇ７上における点と直線Ｇ８上における点とのグラフの縦軸方向に沿った差の大きさは、その時点におけるバッテリ１の内部抵抗値ＲBに比例するため、放電開始時（満充電時）における値ＶAFと値ＶBFとの差Ｄ２と、放電の過程の直線Ｇ８上の各点と曲線Ｇ７上の各点との差Ｄ３との比率（Ｄ３／Ｄ２）により、各開放電圧値ＶOにおける内部抵抗値ＲBの変化率（ＲB／ＲBF）を導出することができる。図５のグラフ中の曲線Ｇ９は、そのように導出した開放電圧値ＶOの変化に対する内部抵抗値ＲBの変化率（ＲB／ＲBF）を示しており、この曲線Ｇ９に基づいて前述の式（３）が決定される。
【００４７】
次に、図６を参照して、上式（４），（５）の関係式（又はその関係式と等価な開放電圧値ＶOIと下限電圧値ＶLIとを対応付けたデータテーブル）を用いたバッテリ１の状態（劣化度合い及び充電残量）の評価原理について説明する。
【００４８】
まず劣化度合いの評価原理について説明する。図６のグラフ中の曲線Ｇ１は、上述のように、予めシステムに記憶させた上式（４），（５）の関係式（又はその関係式と等価な開放電圧値ＶOIと下限電圧値ＶLIとを対応付けたデータテーブル）と、上述の初期基準開放電圧値ＶOIF及び初期基準下限電圧値ＶLIFとを用いて導出したものである。この図６の曲線Ｇ１及び値ＶOIF，ＶLIFに関する情報は、システムに記憶されてバッテリ１の状態評価に用いられる。
【００４９】
そして、バッテリ１の使用が開始されている状態において、バッテリ１の劣化度合いを評価する際には、エンジン始動時におけるエンジン始動時負荷ＬSがバッテリ１に接続される前の開放電圧である使用後開放電圧値ＶORと、エンジン始動時負荷ＬSがバッテリ１に接続されたときの下限電圧である使用後下限電圧値ＶLRとが計測される。このとき、バッテリ１の充電残量は満充電状態である必要はない。
【００５０】
続いて、図６のグラフの曲線Ｇ１上における下限電圧値が使用後下限電圧値ＶLRと等しい値であるときの開放電圧値を対応基準開放電圧値ＶOSとして導出し、予め記憶された初期基準開放電圧値ＶOIFとその対応基準開放電圧値ＶOSとの差である第１の差分値Ｄ１１と、初期基準開放電圧値ＶOIFと使用後開放電圧値ＶORとの差である第２の差分値Ｄ１２とを比較することにより、その時点におけるバッテリ１の劣化度合いが検出される。
【００５１】
この検出原理は、前述の図１を用いて説明したバッテリ１の劣化度合いが小さいほどグラフ上の計測点（ＶO，ＶL）は曲線Ｇ１に近づくように略左方向にシフトするという特性を利用したものである。すなわち、バッテリ１の劣化度合いが小さいほど図６のグラフ上の計測点Ｐ１１（ＶOR，ＶLR）は、対応する曲線Ｇ１上の座標点Ｐ１２に近づいてゆくようになっており、その計測点Ｐ１１の座標点Ｐ１２に対する近づき度合いに基づいてバッテリ１の劣化度合いを評価するようになっている。
【００５２】
次に、充電残量の評価原理について説明する。充電残量の評価も、劣化度合いの評価と同様に、図６のグラフの曲線Ｇ１で表されるバッテリ１が新品のときの放電電圧と下限電圧との関係を用いて行われ、充電残量の評価の際に、使用後開放電圧値ＶORと使用後下限電圧値ＶLRとが計測される。なお、記憶部１７には、上式（３）の内部抵抗変化率の取得に伴って取得された新品のバッテリ１の充電残量ゼロのときの開放電圧である最低基準開放電圧値ＶOIEが初期設定として予め記憶されている。
【００５３】
そして、劣化度合いの評価のときと同様にして図６のグラフの曲線Ｇ１上における下限電圧値が使用後下限電圧値ＶLRと等しい値であるときの開放電圧値を対応基準開放電圧値ＶOSとして導出する。そして、使用が開始されているその時点におけるバッテリ１の充電残量がゼロのときを想定したときの開放電圧である最低使用後開放電圧値ＶOREを、次のようにして導出する。すなわち、予め取得された初期基準開放電圧値ＶOIFから最低基準開放電圧値ＶOIEを引いた値Ｄ１３に対する初期基準開放電圧値ＶOIFから最低使用後開放電圧値ＶOREを引いた値Ｄ１４の比が、初期基準開放電圧値ＶOIFから対応基準開放電圧値ＶOSを引いた値Ｄ１１に対する初期基準開放電圧値ＶOIFから使用後開放電圧値ＶORを引いた値Ｄ１２の比と等しくなるようにして導出して、最低使用後開放電圧値ＶOREを導出する。
【００５４】
そして、初期基準開放電圧値ＶOIFと最低使用後開放電圧値ＶOREとの差である第３の差分値Ｄ２１と、使用後開放電圧値ＶORと最低使用後開放電圧値ＶOSとの差である第４の差分値Ｄ２２とを比較することにより、その時点におけるバッテリ１の充電残量を検出するようになっている。
【００５５】
この検出原理は、バッテリ１の充電残量が満充電状態から減少するのに従って、図６のグラフの横軸に平行な仮想線Ｌ１上における計測点Ｐ１１に対応した座標点Ｐ２１が、満充電残量に対応する座標点Ｐ２２側から充電残量ゼロ状態に対応する座標点Ｐ２３側に近づく特性を利用したものである。
【００５６】
＜装置構成＞
図７は、本発明の一実施形態に係るバッテリ状態管理装置のブロック図である。このバッテリ状態管理装置は、図７に示すように、電流センサ１１、電圧センサ（電圧検出手段）１３、処理部１５、記憶部１７及び出力部１９を備えて構成されており、車両に搭載されたバッテリ１の状態を管理する。
【００５７】
電流センサ１１は、バッテリ１に対する電流の入出力量を検出する。電圧センサ１３は、バッテリ１の出力電圧を検出する。処理部１５は、ＣＰＵ等を備えて構成され、バッテリ１の管理のために各種の情報処理動作（制御動作も含む）を行う。記憶部１７は、メモリ等により構成され、処理部１５が行う各種の情報処理動作に必要な情報等が記憶されている。出力部１９は、バッテリ１の状態の判定結果等を出力するためのものである。
【００５８】
＜全体の所定動作＞
まず、このバッテリ状態管理装置の全体的な処理動作について、図８を参照して説明する。処理部１５は、ステップＳ１でイグニッションスイッチ（以下、「ＩＧスイッチ」という）２１がオンされるのに伴って、ステップＳ２で初期充電残量の検出動作を行う。この検出動作では、バッテリ１の開放電圧が電圧センサ１３を介して計測され、その開放電圧の計測値に基づいてバッテリ１のエンジン始動前の充電残量（初期充電残量）が検出される。このとき、バッテリ１が満充電状態であるか否かの判定も行われる。なお、ここで計測されたバッテリ１の開放電圧は後述のステップＳ５のエンジン始動時状態判定又はステップＳ６の基準放電特性導出処理に用いられる。
【００５９】
処理部１５は、続くステップＳ３でスタータ２３が駆動されて図示しないエンジンが始動されるのに伴って、ステップＳ４でバッテリ１の基準放電特性の導出処理の要否が判断される。すなわち、車両の組立完成後、基準放電特性の導出処理がまだ行われていない場合には、ステップＳ６に進み基準放電特性導出処理が行われ、導出処理が既に行われている場合には、ステップＳ５に進みエンジン始動時状態判定処理が行われる。この基準放電特性の導出が既に行われているか否かの判断は、例えば上式（４），（５）に関する関係式（又はそれと等価なデータテーブル）が記憶部１７に記憶されているか否かを判断することにより行われる。また、この基準放電特性の導出は、車両組立完成時等に実質的に１回行えば、バッテリ１を交換するまでは行う必要がない。ステップＳ６での基準放電特性導出処理又はステップＳ５での始動時状態判定処理が行われると、ステップＳ７に進み始動後劣化判定処理が行われる。なお、基準放電特性導出処理及び始動時状態判定処理の具体的内容については後述する。
【００６０】
そして、処理部１５は、続くステップＳ７でエンジン始動後劣化判定動作を行う。この始動後劣化判定動作では、エンジン始動後の充電により満充電（又はそれに近い状態）になったバッテリ１への電流流入状況を電流センサ１１を介して検出し、その電流流入状況に基づいてバッテリ１の劣化度が判定される。
【００６１】
また、処理部１５は、続くステップＳ８でバッテリ１に対する充電制御（バッテリ１の充電残量管理）を行う。この充電制御では、電流センサ１１の計測電流値を積算することにより、エンジン始動時等の所定の基準時からバッテリ１から放電された全電流量が逐次検出され、その検出結果に基づいてバッテリ１に対して行うべき充電量を決定するようになっている。これによって、走行中におけるバッテリ１の充電残量が所定範囲内に維持されるようになっている。充電量の制御は、例えば、図示しないオルタネータの発電量（出力電圧等）を制御することにより行われる。
【００６２】
このステップＳ７，Ｓ８のエンジン始動後劣化判定動作及び充電制御は、エンジンが停止されるまで繰り返し継続される。
【００６３】
＜基準放電特性導出処理＞
ここでは、上述の図８のステップＳ６で行われる基準放電特性導出処理について説明する。この基準放電特性導出処理の前提として、記憶部１７には、新品のバッテリ１の開放電圧値ＶOIの変化に対する内部抵抗値ＲBIの変化率（ＲBI／ＲBIF）を近似的に表す開放電圧値ＶOIを変数とした上式（３）のような関数に関する情報（又はそれと等価な開放電圧値ＶOIと各開放電圧値ＶOIにおける内部抵抗値ＲBIの変化率（ＲBI／ＲBIF）とを対応付けたデータテーブルに関する情報）を記憶させておく必要がある。
【００６４】
処理部１５は、ステップＳ２での検出によりバッテリ１が満充電状態にある場合にのみ、この基準放電特性導出処理を行うようになっており、仮にバッテリ１が満充電状態でない場合には、その導出処理を行うことなく、例えばステップＳ７の処理に進むようになっている。そして、次回のエンジン始動時にバッテリ１が満充電状態となっていれば、そのときにステップＳ６にて基準放電特性導出処理が行われるようになっている。
【００６５】
この導出処理では、上述の如く、エンジン始動時負荷ＬSがバッテリ１に接続された際の下限電圧値が初期基準下限電圧値ＶLIFとして電圧センサ１３を介して計測され、この初期基準下限電圧値ＶLIFと直前のステップＳ２で計測された開放電圧である初期基準開放電圧値ＶOIFと、上式（３）（又は上式（３）と等価なデータテーブル）とを用いて、車両固有のエンジン始動時負荷ＬSに対する新品のバッテリ１の基準放電特性が導出される。すなわち、新品のバッテリ１の基準放電特性は、開放電圧値ＶOIの変化に伴う下限電圧値ＶLIの変化を示す上式（４）の関係式として導出される。但し、式（４）中のパラメータＲLKは上式（５）で与えられる。
【００６６】
本実施形態では、このようにして導出した新品のバッテリ１における開放電圧値ＶOIの変化と下限電圧値ＶLIの変化との関係を関係式（４），（５）の形で記憶部１７に保存するようになっているが、関係式（４），（５）と実質的に等価なデータテーブル（縦軸及び横軸に開放電圧及び下限電圧をとった２次元座標上の曲線Ｇ１を表す座標情報）の形で記憶部１７に保存するようにしてもよい。
【００６７】
この基準放電特性導出処理では、その導出処理に用いた初期基準開放電圧値ＶOIF及び初期基準下限電圧値ＶLIFが記憶部１７に保存されるようになっている。
【００６８】
＜始動時状態判定処理＞
次に、上述の図８のステップＳ５で行われる始動時状態判定処理について説明する。なお、この始動時状態判定処理は、バッテリ１の充電残量によらずに実行されるが、ステップＳ６の基準放電特性導出処理が完了していることが前提条件となっている。
【００６９】
この始動時状態判定処理では、上述の如く、エンジン始動時負荷ＬSがバッテリ１に接続された際の下限電圧値が使用後下限電圧値ＶLRとして電圧センサ１３を介して計測され、この使用後下限電圧値ＶLRと、直前のステップＳ２で計測された開放電圧である使用後開放電圧値ＶORと、ステップＳ６の基準放電特性導出処理により取得されて記憶部１７に記憶されている情報とに基づいて、その時点におけるバッテリ１の劣化度合い及び充電残量が判定される。
【００７０】
まず劣化度合い（ＳＯＨ：state of health）の判例処理について説明する。まず、記憶部１７に記憶されている関係式（４），（５）によって表される図６のグラフの曲線Ｇ１上における下限電圧値が使用後下限電圧値ＶLRと等しい値であるときの開放電圧値が対応基準開放電圧値ＶOSとして導出される。あるいは、式（４），（５）における変数ＶLIに使用後下限電圧値ＶLRを代入したときの変数ＶOIの値を対応基準開放電圧値ＶOSとして導出する。
【００７１】
続いて、記憶部１７に記憶された初期基準開放電圧値ＶOIFとその対応基準開放電圧値ＶOSとの差である第１の差分値Ｄ１１と、初期基準開放電圧値ＶOIFと使用後開放電圧値ＶORとの差である第２の差分値Ｄ１２とを比較することにより、その時点におけるバッテリ１の劣化度合いが検出される。例えば、第１の差分値Ｄ１１に対する第２の差分値Ｄ１２の比率（図６のハッチングを付した部分Ｃ１が対応）に基づいてバッテリ１の劣化度合いが検出される。
【００７２】
次に充電残量（ＳＯＣ：state of charge）の判定処理について説明する。この判定処理では、劣化度合いの判定処理により取得された使用後下限電圧値ＶLR及び対応基準開放電圧値ＶOSを利用して処理が行われる。
【００７３】
続いて、その時点におけるバッテリ１の充電残量ゼロを想定したときの開放電圧である最低使用後開放電圧値ＶOREが、次のようにして導出される。すなわち、予め取得された初期基準開放電圧値ＶOIFから初期設定により記憶部１７に記憶された最低基準開放電圧値ＶOIEを引いた値Ｄ１３に対する、初期基準開放電圧値ＶOIFから最低使用後開放電圧値ＶOREを引いた値Ｄ１４の比が、初期基準開放電圧値ＶOIFから対応基準開放電圧値ＶOSを引いた値Ｄ１１に対する初期基準開放電圧値ＶOIFから使用後開放電圧値ＶORを引いた値Ｄ１２の比と等しくなるようにして、最低使用後開放電圧値ＶOREが導出される。
【００７４】
そして、初期基準開放電圧値ＶOIFと最低使用後開放電圧値ＶOREとの差である第３の差分値Ｄ２１と、使用後開放電圧値ＶORと最低使用後開放電圧値ＶOSとの差である第４の差分値Ｄ２２とが比較されることにより、その時点におけるバッテリ１の充電残量が検出するようになっている。例えば、第３の差分値Ｄ２１に対する第２の差分値Ｄ２２の比率（図６のハッチングを付した部分Ｃ２が対応）に基づいてバッテリ１の充電残量が検出される。
【００７５】
＜濃度分極を考慮した電圧変動予測＞
以上では、エンジン始動時にバッテリ１の充電残量（ＳＯＣ）及び劣化状態（ＳＯＨ）を求める手法について説明したが、以下では、このＳＯＣ及びＳＯＨを用いて、バッテリ液の濃度分極の影響を考慮してバッテリ状態を正確に評価する手法について説明する。
【００７６】
上記の通り、バッテリ１を充放電すると、電極表面でバッテリ液である希硫酸の濃度勾配（濃度分極）が生じ、バッテリ１の端子電圧が時間の経過に伴って増減する。具体的に、バッテリ１を放電した場合には、硫酸鉛の析出に起因して電極表面で硫酸濃度が低下し、端子電圧が一時的に低下する。一方、バッテリ１を充電した場合には、硫酸鉛の溶解に起因して電極表面で硫酸濃度が上昇し、端子電圧が一時的に上昇する。
【００７７】
図９（Ａ）は、電流密度と分極電圧との関係を示すグラフであり、図９（Ｂ）は電流密度と内部抵抗Ｒとの関係を示すグラフである。図９（Ｂ）を参照して、バッテリ１の内部抵抗Ｒは、内部抵抗Ｒ0と内部抵抗Ｒdとの和として規定される。内部抵抗Ｒ0は、上記の内部抵抗ＲBに相当し、バッテリ１の電極材料やＳＯＣ，ＳＯＨに起因する、電荷移動律則のオーミックな抵抗である。内部抵抗Ｒ0の抵抗値は、電流密度ｉによらずに一定である。内部抵抗（以下「拡散抵抗」と称す）Ｒdは、バッテリ液の濃度分極に起因する、拡散律則の抵抗である。拡散抵抗Ｒdの抵抗値は、電流密度ｉがＩ1〜Ｉ2の領域では電流密度ｉが低下するほど上昇し、電流密度ｉがＩ3〜Ｉ4の領域では電流密度ｉが上昇するほど上昇する。ここで、Ｉ1，Ｉ4は限界電流密度である。
【００７８】
図９（Ａ）を参照して、分極電圧ＶD（つまり開放電圧からの端子電圧のずれ）は、内部抵抗Ｒ0に起因するオーミック抵抗分極電圧と、拡散抵抗Ｒdに起因する濃度分極電圧との和として規定される。図９（Ａ）の縦軸よりも左側の領域は放電領域を示しており、右側の領域は充電領域を示している。分極電圧ＶDの電圧値は、電流密度ｉがＩ1〜Ｉ2の領域では電流密度ｉが低下するほど急激に低下し、電流密度ｉがＩ2〜Ｉ3の領域では電流密度ｉに比例して緩やかに上昇し、電流密度ｉがＩ3〜Ｉ4の領域では電流密度ｉが上昇するほど急激に上昇する。
【００７９】
本発明では、濃度分極のメカニズムはバッテリのメーカーやグレードによらずに一定であることに着目して、バッテリ１の充放電開始から所定時間経過後の拡散抵抗Ｒdの抵抗値を、電流密度ｉの関数として正規化する。ここでの「所定時間」は、バッテリ１の駆動対象（負荷）に応じて設定され、例えば、クランキング電圧の維持能力を評価したい場合には１秒程度、ＥＰＳ（電動パワーステアリング）の動作電圧の維持能力を評価したい場合には２秒程度の時間が設定される。以下では、クランキング電圧の維持能力の評価を例にとり説明し、上記の「所定時間」は１秒とする。
【００８０】
図１０は、バッテリ１の放電開始から１秒後の電流密度ｉと拡散抵抗Ｒdとの関係（特性Ｋ１）を示すグラフであり、図１１は、バッテリ１の充電開始から１秒後の電流密度ｉと拡散抵抗Ｒdとの関係（特性Ｋ２）を示すグラフである。これらの特性Ｋ１，Ｋ２は予め実験等によって求められ、特性Ｋ１，Ｋ２を表す関数式又はデータテーブルが、図７に示した記憶部１７に記憶されている。
【００８１】
ここで、電流密度ｉは、電流値をＩ、バッテリ１の電極表面積をＡとすると、ｉ＝Ｉ／Ａとして表される。また、電極表面積Ａは、バッテリ１の新品表面積をＡ0、上記で求めたＳＯＣ，ＳＯＨの各値をＳＯＣ，ＳＯＨ（０≦ＳＯＣ≦１，０≦ＳＯＨ≦１）とすると、Ａ＝Ａ0×ＳＯＣ×ＳＯＨとして表される。また、新品表面積はバッテリの定格容量に比例するため、基準となるバッテリ１の新品表面積Ａ0及び定格容量を求めておけば、他のバッテリに関しては、そのバッテリの定格容量とバッテリ１の定格容量との比に基づいて、そのバッテリの新品表面積Ａ0を求めることができる。その結果、図１０，１１に示したグラフの横軸である電流密度ｉは、ＳＯＣ、ＳＯＨ、及び定格容量を用いて算出可能である。
【００８２】
そこで、図７に示した処理部１５は、前回エンジンを始動した際に電流センサ１１によって検出したクランキング電流値（放電電流値Ｉ）と、その際に求めたＳＯＨと、積算ＳＯＣと、バッテリ１の定格容量とに基づいて電流密度ｉを算出し、その後、図１０に示した特性Ｋ１を参照することにより、算出した電流密度ｉに対応する拡散抵抗Ｒdを導出する。ここで、積算ＳＯＣは、前回エンジンを始動した際に求めたＳＯＣを、その時点から現在までの充放電に伴う電流積算量によって補正したものである。
【００８３】
また、処理部１５は、前回エンジンを始動した際に計測した内部抵抗Ｒ0の抵抗値を、その時点から現在までの充放電に伴うＳＯＣの変動によって補正することにより、現時点での内部抵抗Ｒ0の抵抗値を求める。
【００８４】
そして、処理部１５は、上記で求めた拡散抵抗Ｒdと現時点での内部抵抗Ｒ0との各抵抗値を加算することにより、トータルの内部抵抗Ｒ（＝Ｒd＋Ｒ0）を算出する。図１２を参照して、今回エンジンを始動する際の始動性評価において、処理部１５は、内部抵抗Ｒに放電電流値Ｉを乗算することにより電圧降下ΔＶO2を算出し、開放電圧値ＶOから電圧降下ΔＶO2を減算することにより電圧値Ｖ2を得る。
【００８５】
この電圧値Ｖ2は、濃度分極に起因する拡散抵抗Ｒdを加味したものであり、放電開始から１秒後の端子電圧（つまり、クランキング完了後の端子電圧）に相当する。従って、電圧値Ｖ2が所定の基準電圧値以上であるか否かを処理部１５が判定することによって、クランキング開始時（時間Ｔ1）から完了時（時間Ｔ2）までの全時間に亘って基準電圧値を確保できるか否かを評価することが可能となる。図１２を参照して、従来では、放電開始時の瞬間的な電圧降下量ΔＶO1＝Ｉ×Ｒ0を用いて端子電圧Ｖ1（＝ＶO−ΔＶO1）を求めることにより、バッテリ状態が評価されていた。そのため、濃度分極に起因する電圧降下が考慮されていなかった。これに対して、本発明に係るバッテリ状態管理装置では、濃度分極に起因する時間依存の拡散抵抗Ｒdをも考慮して評価が行われるため、バッテリ状態を正確かつ簡易に評価することができる。
【００８６】
＜分極状態予測＞
図１３は、バッテリ１が充放電される様子を示すタイミングチャートである。上記の通り、バッテリ１を充放電すると、電極表面で希硫酸の濃度分極が生じ、バッテリ１の端子電圧が時間の経過に伴って増減する。以下では、上記で求めたＳＯＣ及びＳＯＨを用いて、現時点（図１３の時刻ｔ0）でのバッテリ１の分極状態を考慮してバッテリ状態を正確に評価する手法について説明する。
【００８７】
図１３を参照して、まず、処理部１５は、現時点（時刻ｔ0）から期間Ｗだけ遡った時刻ｔ1を割り出す。期間Ｗは、低濃度領域へのイオンの拡散によって濃度分極が解消されるまでの所要時間であり、例えば数１０分から数時間である。時刻ｔ1から時刻ｔ0までの充放電の履歴（時間及び電流値）は記憶部１７（図７参照）に保存されており、処理部１５は、この履歴情報に基づいて、時刻ｔ0での分極状態を予測する。具体的には、充電電流値Ｉ10と充電期間とに基づいて充電電流の積算値を求めるとともに、放電電流値Ｉ11，Ｉ12と放電期間とに基づいて放電電流の積算値を求め、充電電流の積算値から放電電流の積算値を減算することにより、平均分極電流Ｉａを算出する。その際、各期間ごとに重み付け値α1〜α8が割り振られており、直近の期間ほど現時点での分極状態に大きな影響を及ぼすことを考慮して、時刻ｔ0に近付くほどに大きな重み付け値が設定されている。つまり、α1＜α2＜α3・・・＜α8ということである。
【００８８】
その結果、処理部１５は、平均分極電流Ｉａが負であった場合（つまり、充電電流の積算値よりも放電電流の積算値のほうが大きかった場合）は、時刻ｔ0での分極状態は放電分極状態であると判定する。一方、平均分極電流Ｉａが正であった場合（つまり、放電電流の積算値よりも充電電流の積算値のほうが大きかった場合）は、時刻ｔ0での分極状態は充電分極状態であると判定する。
【００８９】
図１４は、放電分極状態でのバッテリ１の電流密度ｉと端子電圧との関係（特性Ｋ３）を示すグラフであり、図１５は、充電分極状態でのバッテリ１の電流密度ｉと端子電圧との関係（特性Ｋ４）を示すグラフである。これらの特性Ｋ３，Ｋ４は予め実験等によって求められ、特性Ｋ３，Ｋ４を表す関数式又はデータテーブルが、図７に示した記憶部１７に記憶されている。
【００９０】
図１４を参照して、平均分極電流をＩａ、バッテリ１の新品表面積をＡ0、ＳＯＣ，ＳＯＨの各値をＳＯＣ，ＳＯＨ（０≦ＳＯＣ≦１，０≦ＳＯＨ≦１）とすると、電流密度ｉは、ＳＯＣ≦０．５の場合にはｉ＝Ｉａ／（Ａ0×ＳＯＣ×ＳＯＨ）として表され、ＳＯＣ＞０．５の場合にはｉ＝Ｉａ／（Ａ0×（１−ＳＯＣ）×ＳＯＨ）として表される。また、図１５を参照して、電流密度ｉは、ｉ＝Ｉａ／（Ａ0×ＳＯＣ×ＳＯＨ）として表される。ここで、上記と同様に、基準となるバッテリ１の新品表面積Ａ0及び定格容量を求めておけば、他のバッテリに関しては、そのバッテリの定格容量とバッテリ１の定格容量との比に基づいて、そのバッテリの新品表面積Ａ0を求めることができる。その結果、図１４，１５に示したグラフの横軸である電流密度ｉは、平均分極電流Ｉａ、ＳＯＣ、ＳＯＨ、及び定格容量を用いて算出可能である。
【００９１】
そこで、図７に示した処理部１５は、上記で求めた平均分極電流Ｉａと、前回エンジンを始動した際に求めたＳＯＨと、積算ＳＯＣと、バッテリ１の定格容量とに基づいて電流密度ｉを算出する。その後、放電分極状態である場合には、図１４に示した特性Ｋ３を参照することにより、算出した電流密度ｉに対応する分極電圧Ｖ100を導出する。一方、充電分極状態である場合には、図１５に示した特性Ｋ４を参照することにより、算出した電流密度ｉに対応する分極電圧Ｖ101を導出する。上記と同様に、積算ＳＯＣは、前回エンジンを始動した際に求めたＳＯＣを、その時点から現在までの充放電に伴う電流積算量によって補正したものである。
【００９２】
図１４を参照して、分極電圧Ｖ100は、オーミック抵抗分極電圧と濃度分極電圧との和に相当する電圧分だけ、開放電圧ＶOよりも低くなっている。一方、図１５を参照して、分極電圧Ｖ101は、オーミック抵抗分極電圧と濃度分極電圧との和に相当する電圧分だけ、開放電圧ＶOよりも高くなっている。処理部１５は、内部抵抗Ｒ0と電流密度ｉとを乗算することによりオーミック抵抗分極電圧を求めることができ、拡散抵抗Ｒdと電流密度ｉとを乗算することにより濃度分極電圧を求めることができる。なお、内部抵抗Ｒ0及び拡散抵抗Ｒdの導出方法は上記と同様であるため、ここでの詳細な説明は省略する。
【００９３】
図１６は、放電分極状態での始動性評価を示すグラフである。分極電圧Ｖ201は、オーミック抵抗分極電圧（Ｖ200−Ｖ201）と濃度分極電圧（ＶO−Ｖ200）との和に相当する電圧分（ＶO−Ｖ201）だけ、開放電圧ＶOよりも低くなっている。今回エンジンを始動する際の始動性評価において、処理部１５は、内部抵抗Ｒ0に放電電流値Ｉを乗算することにより電圧降下ΔＶ202を算出し、電圧値Ｖ200から電圧降下ΔＶ202を減算することにより電圧値Ｖ202を得る。あるいは、内部抵抗Ｒに放電電流値Ｉを乗算することにより電圧降下ΔＶ203を算出し、電圧値Ｖ200から電圧降下ΔＶ203を減算することにより電圧値Ｖ203を得る。そして、電圧値Ｖ202（あるいは電圧値Ｖ203）が所定の基準電圧値以上であるか否かを処理部１５が判定することによって始動性を評価する。
【００９４】
図１７は、充電分極状態での始動性評価を示すグラフである。分極電圧Ｖ300は、オーミック抵抗分極電圧（Ｖ300−Ｖ301）と濃度分極電圧（Ｖ301−ＶO）との和に相当する電圧分（Ｖ300−ＶO）だけ、開放電圧ＶOよりも高くなっている。今回エンジンを始動する際の始動性評価において、処理部１５は、内部抵抗Ｒ0に放電電流値Ｉを乗算することにより電圧降下ΔＶ302を算出し、電圧値Ｖ301から電圧降下ΔＶ302を減算することにより電圧値Ｖ302を得る。あるいは、内部抵抗Ｒに放電電流値Ｉを乗算することにより電圧降下ΔＶ303を算出し、電圧値Ｖ301から電圧降下ΔＶ303を減算することにより電圧値Ｖ303を得る。そして、電圧値Ｖ302（あるいは電圧値Ｖ303）が所定の基準電圧値以上であるか否かを処理部１５が判定することによって始動性を評価する。
【００９５】
従来では、常に開放電圧値ＶOからの電圧降下量に基づいてバッテリ状態が評価されており、濃度分極に起因する電圧変動が考慮されていなかった。これに対して、本発明に係るバッテリ状態管理装置では、濃度分極に起因する濃度分極電圧を考慮して評価が行われるため、バッテリ状態を正確かつ簡易に評価することができる。
【００９６】
＜まとめ＞
以上のように、本実施形態によれば、バッテリ容量試験についてのＪＩＳ規格に準拠した所定レベルの電流値の放電を行わせつつ、時間経過に伴うそのバッテリ１の出力電圧の推移を計測し、その計測結果を平均化して取得したバッテリ１の放電特性データに基づいてバッテリ１の状態管理を行うため、容量、グレード等の種類の異なるバッテリ１や、種類は同じであっても個体差のあるバッテリ１について、その出力電圧の変化に対する内部抵抗値の変化態様を統一的に扱うことができ、その結果、バッテリ１の種類ごとに内部抵抗の特性評価や条件設定等を行う必要がない。
【００９７】
また、新品のバッテリ１の充電残量の変化に応じた開放電圧の変化に対するバッテリ１の内部抵抗の変化率は、バッテリ１のグレード等が異なってもほぼ共通しているため、その内部抵抗変化率と、車両組立完成時等における車両固有のエンジン始動時負荷ＬSに対するバッテリ１の満充電時の電圧降下特性とにより、バッテリ１の状態評価の基準となる新品状態のバッテリ１の車両固有の放電特性を、各車種固有のパラメータ設定を行うことなく、自動的に取得することができ、バラメータ設定のための人的及び装置的コストを軽減できるとともに、同一車種内の車両個体差によるバラツキにも容易に対応できる。
【００９８】
また、上述の如く、バッテリ１の基準放電特性と、各評価時点におけるエンジン始動時の放電によるバッテリ１の放電特性とに基づいて劣化度合い及び充電残量を評価することにより、車種の違いや車両個体差に対するパラメータ設定等の特別な対策を行うことなく、簡単な演算処理により的確にバッテリ１の劣化度合い及び充電残量を検出することができる。
【００９９】
また、バッテリ１の充電残量に依存することなく、各時点におけるバッテリ１の劣化度合いを検出することができるとともに、バッテリ１の劣化度合いに依存することなく、各時点におけるバッテリ１の充電残量を検出することができる。
【０１００】
また、本実施形態では、バッテリ１の放電時電圧値としてエンジン始動時の放電が行われた際におけるバッテリ１の出力電圧の最低値が用いられるため、バッテリ１の特性を有効に表す放電時電圧値を容易かつ確実に取得することができるとともに、バッテリ１の状態評価のための特別な放電をバッテリ１に行わせる必要がなく、またバッテリ１のエンジン始動能力を的確に評価することができる。なお、この点についての変形例として、バッテリ１のエンジン始動時の放電ではなく他の負荷による放電を用いてバッテリ１の放電特性を検出するようにしてもよい。また、放電時電圧値として放電時のバッテリ１の出力電圧の最低値を用いたが、例えば放電開始時から所定の微小時間経過後の出力電圧値を放電時電圧値として用いるようにしてもよい。
【０１０１】
また、新品状態のバッテリ１の放電特性を取得する際のバッテリ１の充電残量の基準として、満充電状態が用いられるため、バッテリ１の充電残量を容易かつ正確に基準状態に設定することができ、その結果、バッテリ１の放電特性を容易かつ正確に検出することができる。この点について、他の充電残量レベルを基準として新品のバッテリ１の放電特性を取得するようにしてもよい。
【０１０２】
＜変形例＞
なお、上述の実施形態によるバッテリ１の状態評価の手法は、各評価時におけるバッテリ１の下限電圧値ＶLRが高くなるほど信頼性が低下する傾向にあるため、評価結果の信頼性確保のため、下限電圧値ＶLRが所定の基準レベル以下である場合にのみバッテリ１の劣化度合い及び充電残量の判定を行うようにしてもよい。
【０１０３】
また、上述の実施形態に係る図７の装置構成にバッテリ１の温度を計測する温度センサを追加し、バッテリ１の温度を考慮した状態評価を行うようにしてもよい。より具体的には、例えば、各温度における新品のバッテリ１の開放電圧と下限電圧との関係を表す２次元座標情報（この場合、温度を含めて考慮すると３次元座標情報ということもできる）を導出し、それに基づいてその時点の温度における状態評価を行う方法や、温度に依存するパラメータ（開放電圧、下限電圧等）の値を温度補正（例えば、標準温度の値に補正）して状態評価を行うようにしてもよい。
【図面の簡単な説明】
【０１０４】
【図１】劣化状況及び充電残量の異なるバッテリについて開放電圧とエンジン始動時の下限電圧とを試験により計測した計測結果を示すグラフである。
【図２】バッテリのエンジン始動時の放電特性について説明するためのグラフである。
【図３】エンジン始動時にバッテリに接続される負荷とバッテリの内部抵抗との関係を模式的に示す回路図である。
【図４】ＪＩＳ容量試験を利用して新品のバッテリの放電時の出力電圧の推移を計測し、そのデータについて所定の平均化処理等を施して得られるデータのグラフである。
【図５】放電に伴う開放電圧の変化に対する内部抵抗変化率の推移を示すグラフである。
【図６】導出したバッテリのエンジン始動時の放電特性に基づいてバッテリの状態評価を行う原理を説明するためのグラフである。
【図７】本発明の一実施形態に係るバッテリ状態管理装置のブロック図である。
【図８】図７のバッテリ状態管理装置の全体的な処理動作を示すフローチャートである。
【図９】電流密度と分極電圧及び内部抵抗との関係を示すグラフである。
【図１０】バッテリの放電開始から１秒後の電流密度と拡散抵抗との関係（特性Ｋ１）を示すグラフである。
【図１１】バッテリの充電開始から１秒後の電流密度と拡散抵抗との関係（特性Ｋ２）を示すグラフである。
【図１２】始動性評価を示すグラフである。
【図１３】バッテリが充放電される様子を示すタイミングチャートである。
【図１４】放電分極状態でのバッテリの電流密度と端子電圧との関係（特性Ｋ３）を示すグラフである。
【図１５】充電分極状態でのバッテリの電流密度と端子電圧との関係（特性Ｋ４）を示すグラフである。
【図１６】放電分極状態での始動性評価を示すグラフである。
【図１７】充電分極状態での始動性評価を示すグラフである。
【符号の説明】
【０１０５】
１  バッテリ
１１  電流センサ
１３  電圧センサ
１５  処理部
１７  記憶部
１９  出力部
２１  ＩＧスイッチ
２３  スタータ
【図１】
2007179968.tif 000010
【図２】
2007179968.tif 000011
【図３】
2007179968.tif 000012
【図４】
2007179968.tif 000013
【図５】
2007179968.tif 000014
【図６】
2007179968.tif 000015
【図７】
2007179968.tif 000016
【図８】
2007179968.tif 000017
【図９】
2007179968.tif 000018
【図１０】
2007179968.tif 000019
【図１１】
2007179968.tif 000020
【図１２】
2007179968.tif 000021
【図１３】
2007179968.tif 000022
【図１４】
2007179968.tif 000023
【図１５】
2007179968.tif 000024
【図１６】
2007179968.tif 000025
【図１７】
2007179968.tif 000026